(57)【要約】【課題】  タッチを正確に検出できるタッチ表示装置及びその駆動方法を提供する。【解決手段】  タッチ表示装置は、表示パネル、表示パネルに配置される複数のタッチ電極、及び複数のタッチ電極に各々連結され、ロードフリー駆動信号の供給を受ける複数のタッチ回路を含み、かつタッチ回路は、タッチ回路のオフセット電圧を格納し、タッチ電極からロードフリー駆動信号の伝達を受けて前記オフセット電圧に対応してロードフリー駆動信号を補正した補正されたロードフリー駆動信号を出力する。【選択図】図１
2020107333.tif 000002
【特許請求の範囲】
【請求項１】
表示パネルと、
前記表示パネルに配置される複数のタッチ電極と、
前記複数のタッチ電極に各々連結され、ロードフリー駆動信号の供給を受ける複数のタッチ回路とを含み、かつ、
前記タッチ回路は、
前記タッチ回路のオフセット電圧を格納し、前記タッチ電極から前記ロードフリー駆動信号の伝達を受けて前記オフセット電圧に対応して前記ロードフリー駆動信号を補正して出力する、タッチ表示装置。
【請求項２】
前記タッチ回路は、前記オフセット電圧を格納するディスプレイ期間と、前記ロードフリー駆動信号の伝達を受け、かつ前記オフセット電圧に対応して前記ロードフリー駆動信号を出力するタッチ期間を含んで動作する、請求項１に記載のタッチ表示装置。
【請求項３】
前記タッチ回路は、
入力電圧に対応して出力電圧を生成し、かつ前記入力電圧と前記出力電圧を比較する比較器と、前記比較器から出力される前記入力電圧と前記出力電圧の電圧差に対応する前記オフセット電圧を格納する格納部と、前記ロードフリー駆動信号を前記格納部に格納された前記オフセット電圧に対応して補正するスイッチ部を含む、請求項１に記載のタッチ表示装置。
【請求項４】
前記タッチ回路は、
正入力端に所定の電圧が伝達され、負入力端にタッチラインを通じて前記タッチ電極が連結され、出力端は前記負入力端と連結されるアンプと、
第１キャパシタと、
前記第１キャパシタと並列に連結される第２キャパシタと、
前記負入力端と前記第１キャパシタとの間に配置される第１スイッチと、
前記負入力端と前記出力端との間に連結される第２スイッチと、
前記正入力端と前記第２キャパシタとの間に配置される第３スイッチと、
前記出力端と前記第２キャパシタとの間に配置される第４スイッチと、
前記負入力端と前記第２キャパシタとの間に配置される第５スイッチと、
前記第２キャパシタと接地との間に配置される第６スイッチとを含む、請求項１に記載のタッチ表示装置。
【請求項５】
前記正入力端はディスプレイ期間に所定の電圧レベルを有する直流電圧の伝達を受けて、タッチ期間に前記ロードフリー駆動信号の供給を受ける、請求項４に記載のタッチ表示装置。
【請求項６】
前記表示パネルにデータ信号を伝達するデータドライバと、
前記表示パネルにゲート信号を伝達するゲートドライバと、
前記データドライバ、前記ゲートドライバを制御するコントローラを含み、かつ、
前記コントローラはディスプレイ期間に前記表示パネルに前記データ信号を伝達し、タッチ期間に前記タッチ回路に前記ロードフリー駆動信号を出力する、請求項２に記載のタッチ表示装置。
【請求項７】
前記タッチラインに充電された電圧を放電させる充電除去回路が配置される、請求項４に記載のタッチ表示装置。
【請求項８】
入力電圧に対応して出力電圧を生成し、かつ前記入力電圧と前記出力電圧を比較する比較器と、
前記比較器から出力される前記入力電圧と前記出力電圧の電圧差に対応してオフセット電圧を格納する格納部と、
前記格納部に格納された前記オフセット電圧に対応して前記入力電圧を補正するスイッチ部とを含む、タッチ回路。
【請求項９】
前記比較器は、
正入力端に所定の電圧が伝達され、負入力端にタッチラインが連結され、出力端はタッチ配線と連結されるアンプと、
前記アンプの負入力端と出力端との間に配置され、互いに直列に連結される第１スイッチと第１キャパシタを含む、請求項８に記載のタッチ回路。
【請求項１０】
前記格納部は、前記アンプの出力端と前記アンプの正入力端との間の電圧を格納する第２キャパシタを含む、請求項９に記載のタッチ回路。
【請求項１１】
前記スイッチ部は、
前記アンプの正入力端と前記第２キャパシタとの間に配置される第３スイッチと、
前記アンプの出力端と前記第２キャパシタとの間に配置される第４スイッチと、
前記アンプの負入力端と前記第２キャパシタとの間に配置される第５スイッチと、
前記第２キャパシタと接地との間に配置される第６スイッチとを含む、請求項１０に記載のタッチ回路。
【請求項１２】
前記正入力端はディスプレイ期間に所定の電圧レベルを有する直流電圧の伝達を受けて、タッチ期間にロードフリー駆動信号の供給を受ける、請求項１１に記載のタッチ回路。
【請求項１３】
前記タッチラインに充電された電圧を放電させる充電除去回路が配置される、請求項９に記載のタッチ回路。
【請求項１４】
複数のタッチラインと連結してタッチセンシング信号を出力する複数のタッチ回路を含むタッチ表示装置の駆動方法であって、
複数の前記タッチ回路のオフセット電圧をセンシングするステップと、
センシングされた前記オフセット電圧を前記タッチ回路で格納するステップと、
タッチをセンシングし、格納された前記オフセット電圧に対応して前記タッチ回路に入力されるタッチ電極の充電電圧を補正するステップとを含む、タッチ表示装置の駆動方法。
【請求項１５】
前記オフセット電圧は所定の直流電圧レベルを有する入力電圧と前記入力電圧に対応して前記タッチ回路から出力される出力電圧を比較してセンシングされる、請求項１４に記載のタッチ表示装置の駆動方法。
【発明の詳細な説明】
【技術分野】
【０００１】
本発明の実施形態は、タッチ表示装置及びその駆動方法に関するものである。
【背景技術】
【０００２】
情報化社会が発展するにつれて、画像を表示するための表示装置に対する要求が多様化し、かつ増加している。このため、液晶表示装置（ＬＣＤ：Liquid Crystal Display Device）、プラズマ表示装置（Plasma Display Device）、有機発光表示装置（ＯＬＥＤ：Organic Light Emitting Display Device）などのさまざまな表示装置が提供されている。
【０００３】
このような表示装置はボタン、キーボード、マウスなどの通常の入力方式から離れ、ユーザが容易に情報または命令を直観的で、かつ便利に入力できるタッチ基盤の入力方式を提供する。タッチ基盤の入力方式を提供する表示装置をタッチ表示装置と称することができる。タッチ表示装置は、表示パネル上に多数のタッチ電極（例：横方向電極、縦方向電極）を形成し、タッチ電極間の静電容量またはタッチ電極と指などのポインタの間の静電容量の変化に基づいてタッチ有無及びタッチ座標などを検出可能なキャパシタンスタッチ方式が、多くの場合採用される。タッチ表示装置は、タッチが正確に検出できれば、微細なタッチに対する差を区分でき、このような区分を通じてタッチ入力を多様なアプリケーションに適用できる。したがって、タッチ表示装置はタッチ有無を把握し、タッチ座標とタッチ強さを正確に検出できる必要がある。
【先行技術文献】
【特許文献】
【０００４】
【特許文献１】特開２０１４−１１６０１１
【発明の概要】
【発明が解決しようとする課題】
【０００５】
本発明の実施形態の目的は、タッチを正確に検出できるタッチ表示装置及びその駆動方法を提供することにある。
【０００６】
また、本発明の実施形態の他の目的は、多様なアプリケーションに適用可能なタッチ表示装置及びその駆動方法を提供することにある。
【課題を解決するための手段】
【０００７】
一態様において、本発明の実施形態は、表示パネルと、表示パネルに配置される複数のタッチ電極と、複数のタッチ電極に各々連結され、ロードフリー駆動信号の供給を受ける複数のタッチ回路とを含み、かつ、タッチ回路は、タッチ回路のオフセット電圧を格納し、タッチ電極からロードフリー駆動信号の伝達を受けてオフセット電圧に対応してロードフリー駆動信号を補正して出力するタッチ表示装置を提供できる。
【０００８】
他の一態様において、本発明の実施形態は、入力電圧に対応して出力電圧を生成し、かつ入力電圧と出力電圧を比較する比較器と、比較器から出力される入力電圧と出力電圧の電圧差に対応してオフセット電圧を格納する格納部と、格納部に格納されたオフセット電圧に対応して入力電圧を補正するスイッチ部とを含むタッチ回路を提供できる。
【０００９】
他の一態様において、本発明の実施形態は、複数のタッチラインと連結してタッチセンシング信号を出力する複数のタッチ回路を含むタッチ表示装置の駆動方法であって、複数のタッチ回路のオフセット電圧をセンシングするステップと、センシングされたオフセット電圧をタッチ回路で格納するステップと、タッチをセンシングし、格納されたオフセット電圧に対応してタッチ回路に入力されるタッチ電極の充電電圧を補正するステップとを含むタッチ表示装置の駆動方法を提供できる。
【発明の効果】
【００１０】
本発明の実施形態によれば、タッチをより正確に検出できるタッチ表示装置及びその駆動方法を提供できる。
【００１１】
本発明の実施形態によれば、多様なアプリケーションに適用できるタッチ表示装置及びその駆動方法を提供できる。
【図面の簡単な説明】
【００１２】
【図１】本発明に従うタッチ表示装置の一実施形態を示す構造図である。
【図２】図１に図示したサブピクセルの第１実施形態を示す回路図である。
【図３】図１に図示したサブピクセルの第２実施形態を示す回路図である。
【図４】本発明の実施形態に従うタッチ表示装置に採用されたタッチセンサー部を示す平面図である。
【図５】本発明の実施形態に従う表示装置に採用されたタッチセンサー部を示す平面図である。
【図６】本発明の実施形態によるタッチ表示装置の駆動を示すタイミング図である。
【図７】本発明の実施形態によるタッチ電極とタッチ回路の連結関係を示す概念図である。
【図８】図７に図示したタッチ回路とタッチ電極との連結関係の第１実施形態を示す回路図である。
【図９】図８に図示したタッチ回路の動作を示すタイミング図である。
【図１０】図６に図示したタッチ回路とタッチ電極の第２実施形態を示す回路図である。
【図１１】図１０に図示したタッチ回路の動作を示すタイミング図である。
【図１２】本発明の実施形態によるタッチ表示装置の駆動方法の一実施形態を示す順序図である。
【発明を実施するための形態】
【００１３】
本実施形態の利点及び特徴、そしてそれらを達成する方法は、添付する図面と共に詳細に後述されている実施形態を参照すれば明確になる。しかしながら、本発明は以下に開示される実施形態に限定されるものでなく、互いに異なる多様な形状に具現され、但し本実施形態は本発明の開示が完全になるようにし、本発明が属する技術分野で通常の知識を有する者に発明の範疇を完全に知らせるために提供されるものであり、本発明は請求項の範疇により定義されるだけである。
【００１４】
また、本発明の実施形態を説明するための図面に開示された形状、サイズ、比率、角度、個数などは例示的なものであるので、本発明が図示された事項に限定されるのではない。明細書の全体に亘って同一参照符号は同一構成要素を称する。また、本発明を説明するに当たって、関連した公知技術に対する具体的な説明が本発明の要旨を曖昧にすることがあると判断される場合、その詳細な説明は省略する。本明細書上で言及された‘含む’、‘有する’、‘なされる’などが使われる場合、‘〜ので’が使われない以上、他の部分が追加できる。構成要素を単数で表現した場合に特別に明示的な記載事項がない限り、複数を含む場合を含むことができる。
【００１５】
また、本発明の実施形態での構成要素を解釈するに当たって、別途の明示的な記載がなくても誤差範囲を含むものとして解釈されるべきである。
【００１６】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により該当構成要素の本質、順番、順序、または個数などが限定されない。ある構成要素が他の構成要素に“連結”、“結合”、または“接続”されると記載された場合、その構成要素は該他の構成要素に直接的に連結または接続できるが、各構成要素の間に他の構成要素が“介在”されるか、各構成要素が他の構成要素を通じて“連結”、“結合”、または“接続”されることもできると理解されるべきである。位置関係に対する説明の場合、例えば、‘〜上に’、‘〜上部に’、‘〜下部に’、‘〜横に’などで２部分の位置関係が説明される場合、‘直ぐ’または‘直接’は使われない以上、２部分の間に１つ以上の他の部分が位置することもできる。
【００１７】
また、本発明の実施形態での構成要素はこれら用語により制限されない。これら用語は単に１つの構成要素を他の構成要素と区別するために使用するだけである。したがって、以下に言及される第１構成要素は本発明の技術的思想内で第２構成要素でありうる。
【００１８】
また、本発明の実施形態での特徴（構成）が部分的にまたは全体的に互いに結合または組合せまたは分離可能であり、技術的に多様な連動及び駆動が可能であり、各実施形態は互いに対して独立的に実施可能であり、また連関関係で共に実施可能でありうる。
【００１９】
以下では、本発明の実施形態を添付した図面を参照して詳細に説明する。図１は、本発明に従うタッチ表示装置の一実施形態を示す構造図である。
【００２０】
図１を参照すると、タッチ表示装置１００は、表示パネル１１０、データドライバ１３０、ゲートドライバ１４０、タッチセンサー１２０、及びコントローラ１５０を含むことができる。
【００２１】
表示パネル１１０は、複数のゲートライン（ＧＬ１、．．．、ＧＬｎ）と複数のデータライン（ＤＬ１、．．．、ＤＬｍ）が交差するように配置できる。そして、複数のゲートライン（ＧＬ１、．．．、ＧＬｎ）と複数のデータライン（ＤＬ１、．．．、ＤＬｍ）が交差する領域に対応して形成される複数のサブピクセル１０１を含むことができる。複数のサブピクセル１０１は、赤色、緑色、青色、または白色の光を各々発光する複数のサブピクセルを含むことができる。しかしながら、サブピクセル１０１が発光する光の色は、これに限定されない。
【００２２】
表示パネル１１０に配置される配線は、複数のゲートライン（ＧＬ１、．．．、ＧＬｎ）と複数のデータライン（ＤＬ１、．．．、ＤＬｍ）に限定されない。
【００２３】
タッチセンサー１２０は表示パネル１１０のタッチに対応してタッチセンシング信号を出力できる。ここで、タッチは、指、ペンのようなタッチ客体が表示パネル１１０を直接的にタッチすることと、一定の距離内に接近することを含むことができる。タッチセンサー１２０は、複数のタッチ電極と、タッチ電極から出力されるタッチ信号を処理するタッチ回路を含み得る。タッチ信号は、タッチ駆動信号とタッチセンシング信号でありうる。また、タッチ回路は、タッチ電極に印加したタッチ駆動信号に応答して伝達されたタッチセンシング信号をセンシングし、タッチセンシング信号に対応する電圧または電流を出力できる。また、タッチセンサー１２０はタッチ電極とタッチ回路とを連結するタッチラインを含むことができる。タッチセンサー１２０のタッチ電極に充電された電圧の変化を感知し、充電された電圧に対応する信号を出力できる。タッチセンサー１２０は、タッチ電極がタッチ駆動信号の伝達を受けて所定の電圧を充電し、充電した電圧に対応してタッチセンシング信号を出力できる。タッチ回路は集積回路で具現できる。
【００２４】
データドライバ１３０は、データ信号を複数のデータライン（ＤＬ１、．．．、ＤＬｍ）に印加できる。データ信号は階調に対応でき、対応する階調によってデータ信号の電圧レベルを決定できる。データ信号の電圧をデータ電圧と称することができる。
【００２５】
ここで、データドライバ１３０の数は１つとして図示しているが、これに限定されるものではなく、表示パネル１１０のサイズ、解像度に対応して２つ以上でありうる。また、データドライバ１３０は集積回路（Integrated circuit）で具現できる。
【００２６】
ゲートドライバ１４０は、ゲート信号を複数のゲートライン（ＧＬ１、．．．、ＧＬｎ）に印加できる。ゲート信号が印加された複数のゲートライン（ＧＬ１、．．．、ＧＬｎ）に対応するサブピクセル１０１は、データ信号を受信できる。また、ゲートドライバ１４０はセンシング信号をサブピクセル１０１に伝達できる。ゲートドライバ１４０から出力されたセンシング信号を受信したサブピクセル１０１は、データドライバ１３０から出力されたセンシング電圧を受信できる。ここで、ゲートドライバ１４０の数は１つとして図示しているが、これに限定されず、２つ以上でありうる。
【００２７】
また、ゲートドライバ１４０は表示パネル１１０の両側に配置され、１つのゲートドライバ１４０は複数のゲートライン（ＧＬ１、．．．、ＧＬｎ）のうちの奇数番目のゲートラインに連結され、他の１つのゲートドライバ１４０は複数のゲートライン（ＧＬ１、．．．、ＧＬｎ）のうちの偶数番目のゲートラインに連結できる。しかしながら、これに限定されない。ゲートドライバ１４０は集積回路で具現できる。また、ゲートドライバ１４０はゲート信号生成回路と、ゲート信号生成回路に信号及び／又は電圧を印加するレベルシフタを含み得る。そして、ゲート信号生成回路は表示パネル１１０上に配置できる。
【００２８】
コントローラ１５０は、タッチセンサー１２０を制御できる。コントローラ１５０は、タッチセンサー１２０にタッチ駆動信号を供給し、供給されたタッチ駆動信号に対応するタッチセンシング信号に対応してタッチ地点の位置を把握できる。また、コントローラ１５０はデータドライバ１３０とゲートドライバ１４０を制御できる。
【００２９】
また、コントローラ１５０は、データ信号に対応する映像信号をデータドライバ１３０に伝達できる。映像信号はデジタル信号でありうる。コントローラ１５０は映像信号を補正してデータドライバ１３０に伝達できる。コントローラ１５０の動作はこれに限定されない。コントローラ１５０はタッチ制御回路を含むことができる。また、コントローラ１５０はタイミングコントローラを含むことができる。タッチ制御回路はタッチセンサーを制御し、タイミングコントローラはデータドライバ１３０とゲートドライバ１４０を制御できる。しかしながら、コントローラ１５０の構成はこれに限定されない。また、コントローラ１５０は集積回路で具現できる。
【００３０】
図２は、図１に図示されたサブピクセルの第１実施形態を示す回路図である。図２を参照すると、複数のサブピクセル１０１のサブピクセル１０１ａは有機発光ダイオードＯＬＥＤと、サブピクセル回路を含み得る。サブピクセル回路はデータ信号に対応して駆動電流を供給する第１トランジスタＭ１ａ、ゲート信号に対応して第１トランジスタＭ１ａにデータ信号を伝達する第２トランジスタＭ２ａ、データ信号を維持するストレージキャパシタＣｓｔａを含み得る。有機発光ダイオードＯＬＥＤは、第１トランジスタＭ１ａから駆動電流の供給を受けて発光できる。
【００３１】
第１トランジスタＭ１ａはゲート電極を第１ノードＮ１ａと連結し、第１電極を第１電源ＥＶＤＤと連結し、第２電極を第２ノードＮ２ａと連結できる。第２トランジスタＭ２ａはゲート電極をゲートラインＧＬに連結し、第１電極をデータラインＤＬと連結し、第２電極を第１ノードＮ１ａと連結できる。ストレージキャパシタＣｓｔａは第１電極を第１ノードＮ１ａと連結し、第２電極を第２ノードＮ２ａと連結できる。そして、有機発光ダイオードＯＬＥＤはアノード電極を第２ノードＮ２ａと連結し、カソード電極を第２電源ＥＶＳＳと連結できる。第１トランジスタＭ１ａは、第１ノードＮ１ａに伝達されるデータ信号に対応するデータ電圧（Ｖｄａｔａ）に対応して第２ノードＮ２に駆動電流を供給できる。
【００３２】
そして、第２トランジスタＭ２ａは、ゲートラインＧＬに伝達するゲート信号に対応して第１ノードＮ１ａにデータ信号を供給できる。ストレージキャパシタＣｓｔａは第１ノードＮ１ａと第２ノードＮ２ａとの間の電圧を維持して第１トランジスタＭ１ａのゲート電極と第２電極との間の電圧を維持して駆動電流を流すことができる。有機発光ダイオードＯＬＥＤは、第２ノードＮ２ａから供給される駆動電流に対応して光を発光できる。有機発光ダイオードＯＬＥＤは、アノード電極を第２ノードＮ２ａに連結し、カソード電極を第２電源ＥＶＳＳに連結できる。ここで、カソード電極に印加する電圧をカソード電圧と称することができる。
【００３３】
図３は、図１に図示されたサブピクセルの第２実施形態を示す回路図である。図３を参照すると、複数のサブピクセル１０１のサブピクセル１０１ｂは第１トランジスタＭ１ｂ、ストレージキャパシタＣｓｔｂ液晶ＬＣを含むことができる。第１トランジスタＭ１ｂはゲート電極をゲートラインＧＬと連結し、第１電極をデータラインＤＬと連結し、第２電極を第１ノードＮ１ｂと連結できる。ストレージキャパシタＣｓｔｂは、第１電極を第１ノードＮ１ｂと連結し、第２電極を共通電圧（Ｖｃｏｍ）が伝達される電源線と連結できる。ストレージキャパシタＣｓｔｂの第１電極を画素電極と称し、ストレージキャパシタＣｓｔｂの第２電極を共通電極と称することができる。そして、液晶ＬＣはストレージキャパシタＣｓｔｂと並列に連結できる。したがって、液晶ＬＣは画素電極と共通電極との間の電圧に対応して動作できる。第１トランジスタＭ１ｂは、ゲートラインＧＬを通じて伝達するゲート信号に対応してデータラインＤＬに伝達するデータ信号を第１ノードＮ１ｂに伝達できる。第１ノードＮ１ｂに伝達したデータ信号はストレージキャパシタＣｓｔｂにより維持され、液晶ＬＣはデータ信号に対応して動作できる。
【００３４】
図４は、本発明の実施形態に従うタッチ表示装置に採用されたタッチセンサー部を示す平面図である。
【００３５】
図４を参照すると、タッチ電極を表示パネル１１０上に配置し、複数の第１タッチ電極ＴＥＤ及び複数の第２タッチ電極ＴＥＳを含むことができる。複数の第１タッチ電極ＴＥＤはタッチ駆動電極と称し、複数の第２タッチ電極ＴＥＳはタッチ感知電極と称することができる。複数の第１タッチ電極ＴＥＤは連結部ＢＬにより行方向に連結され、複数の電極行を形成し、複数の第２タッチ電極ＴＥＳは連結部ＢＬにより縦方向に連結され、複数の電極列を形成できる。ここで、複数の第１タッチ電極ＴＥＤ及び複数の第２タッチ電極ＴＥＳが４＊３形態に配置されていることを図示しているが、これに限定されない。
【００３６】
第１タッチ電極ＴＥＤはタッチ駆動信号を受信でき、第２タッチ電極ＴＥＳはタッチ駆動信号に対応するタッチセンシング信号を伝達できる。第１タッチ電極ＴＥＤと第２タッチ電極ＴＥＳは、表示パネル１１０上で同一レイヤに形成できる。しかしながら、これに限定されない。
【００３７】
連結部ＢＬは１つの第１タッチ電極ＴＥＤが他の第１タッチ電極と連結されるようにすることができる。また、連結部ＢＬは１つの第２タッチ電極ＴＥＳを他の第２タッチ電極と連結できる。連結部ＢＬは互いに交差するが、第１タッチ電極ＴＥＤと第２タッチ電極ＴＥＳとを直接的に連結しないために、第１タッチ電極ＴＥＤを連結する連結部ＢＬを第１タッチ電極ＴＥＤ及び第２タッチ電極ＴＥＳと異なる層に形成し、ビアを通じて第１タッチ電極ＴＥＤと連結部ＢＬとを連結できる。第２タッチ電極ＴＥＳを連結する連結部ＢＬを、第１タッチ電極ＴＥＤ及び第２タッチ電極ＴＥＳと同一層に形成して同一層で第２タッチ電極ＴＥＳと連結することができる。したがって、第１タッチ電極ＴＥＤを連結する連結部ＢＬと第２タッチ電極ＴＥＳを連結する連結部ＢＬとの間には絶縁膜（図示せず）が配置できる。
【００３８】
また、第１タッチ電極ＴＥＤ及び第２タッチ電極ＴＥＳは導電性を有する金属層をパターニングして形成できる。また、第１タッチ電極ＴＥＤ及び第２タッチ電極ＴＥＳはＩＴＯ（Indium Tin Oxide）のような透明物質で形成できる。また、パターニングされた第１タッチ電極ＴＥＤ及び第２タッチ電極ＴＥＳはメッシュ（Mesh）形態に形成された電極パターンを含むことができ、第１タッチ電極ＴＥＤ及び第２タッチ電極ＴＥＳは複数の開口部を含むことができる。ＩＴＯ電極からなる第１タッチ電極ＴＥＤ及び第２タッチ電極ＴＥＳ、または、第１タッチ電極ＴＥＤ及び第２タッチ電極ＴＥＳに含まれた複数の開口部を通じて表示装置から放出された光が、第１タッチ電極ＴＥＤ及び第２タッチ電極ＴＥＳを透過するか、または、複数の開口部を通じて外部に放出できる。
【００３９】
メッシュ形態に形成された第１タッチ電極ＴＥＤ及び第２タッチ電極ＴＥＳのパターンをタッチ電極配線と称することができる。そして、第１タッチ電極ＴＥＤは、タッチ駆動信号をタッチ電極に印加するタッチ駆動ラインＴＥＤＬと連結し、第２タッチ電極ＴＥＳは、タッチ駆動信号に対応して生成されるタッチセンシング信号を伝達するタッチセンシングラインＴＥＳＬと連結できる。
【００４０】
図５は、本発明の実施形態に従う表示装置に採用されたタッチセンサー部を示す平面図である。
【００４１】
図５を参照すると、タッチ電極は複数のタッチ電極ＴＥを含むことができる。複数のタッチ電極ＴＥは表示パネル１１０上に配置され、表示パネル１１０上に所定の面積を有する複数のタッチ電極ＴＥを５＊４のマトリックス形態に配列できる。しかしながら、これに限定されない。また、各タッチ電極ＴＥにはタッチラインＴＥＬを各々連結できる。タッチラインＴＥＬはタッチ電極の下部または上部に配置され、タッチ電極ＴＥの一領域に接し得る。タッチラインＴＥＬはタッチ駆動信号をタッチ電極ＴＥに伝達でき、また、タッチ電極ＴＥからタッチセンシング信号を受信できる。タッチ駆動信号とタッチセンシング信号をタッチ信号と称することができる。タッチ電極ＴＥとタッチラインＴＥＬとを表示パネル１１０内に実装できるので、タッチ表示装置１００が表示パネル１１０上に別途のタッチパネルを含まないようにすることで、表示パネル１１０を薄く具現できる。
【００４２】
図６は、本発明の実施形態によるタッチ表示装置の駆動を示すタイミング図である。図６を参照すると、タッチ表示装置１００をディスプレイ期間（Ｔｄ）とタッチ期間（Ｔｓ）に区分して動作できる。ディスプレイ期間（Ｔｄ）でタッチ表示装置１００は、各サブピクセル１０１をデータ信号の供給を受けて発光させられる。タッチ表示装置１００は、タッチ同期信号（Ｔｓｙｎｃ）に対応してディスプレイ期間（Ｔｄ）とタッチ期間（Ｔｓ）とに区分して動作できる。タッチ表示装置１００は、タッチ同期信号（Ｔｓｙｎｃ）がロー状態であれば、ディスプレイ期間（Ｔｄ）として動作でき、タッチ同期信号（Ｔｓｙｎｃ）がハイ状態であれば、タッチ期間（Ｔｓ）として動作できる。
【００４３】
タッチ表示装置１００において、ディスプレイ期間（Ｔｄ）に、図２に図示したカソード電極または図３に図示した共通電極が、所定の電圧レベルを有する直流電圧を受信できる。タッチ表示装置１００は、カソード電極とアノード電極に印加される電圧に対応して駆動電流を供給して映像を表示するか、または共通電極に印加される直流電圧とアノード電極に印加されるデータ電圧（Ｖｄａｔａ）に対応して映像を表示することができる。
【００４４】
タッチ表示装置１００では、タッチ期間（Ｔｓ）で図２に図示したカソード電極または図３に図示した共通電極が、ロードフリー駆動信号（Load free driving signal）を受信できる。タッチ表示装置１００は、複数のタッチラインのうち、特定のタッチラインはタッチ駆動信号が供給され、他のタッチラインはタッチ駆動信号と同期するロードフリー駆動信号を伝達できる。これによって、タッチ駆動信号の供給を受ける特定のタッチラインとタッチ駆動信号の供給を受けない他のタッチラインの間の信号の差による寄生キャパシタの発生を防止できる。したがって、タッチ表示装置１００の消費電力を低減でき、ノイズの影響などを減らせるので、タッチセンシング信号をより正確に検出できる。
【００４５】
ここでは、ディスプレイ期間（Ｔｄ）とタッチ期間（Ｔｓ）の長さを同一として図示しているが、これに限定さない。また、タッチ期間（Ｔｓ）はブランク期間でありうる。ブランク期間は、垂直ブランク期間と水平ブランク期間のうちのいずれかでありうる。しかしながら、これに限定されない。そして、タッチをセンシングするためにタッチ電極に印加されるタッチ駆動信号は、センシングしない他のタッチ電極に印加するロードフリー駆動信号と位相及び振幅が同一であるので、互いに区別されない信号であってもよい。したがって、以下ではタッチ駆動信号とロードフリー駆動信号とを、全てロードフリー駆動信号と称して説明する。
【００４６】
図７は、本発明の実施形態によるタッチ電極とタッチ回路の連結関係を示す概念図である。
【００４７】
図７を参照すると、複数のタッチ電極（ＴＥ１、ＴＥ２、．．．、ＴＥｋ−１、ＴＥｋ）は各々タッチライン（ＴＥＬ１、ＴＥＬ２、．．．、ＴＥＬｋ−１、ＴＥＬｋ）によりタッチ回路部１２０ａと連結できる。より具体的には、タッチ回路部１２０ａは複数のタッチ回路（１２１、１２２、．．．、１２ｋ−１、１２ｋ）を含み得る。複数のタッチ電極（ＴＥ１、ＴＥ２、．．．、ＴＥｋ−１、ＴＥｋ）は複数のタッチ回路（１２１、１２２、．．．、１２ｋ−１、１２ｋ）と各々連結できる。また、複数のタッチ回路（１２１、１２２、．．．、１２ｋ−１、１２ｋ）は複数の出力端（ＶＯ１、ＶＯ２、．．．、ＶＯｋ−１、ＶＯｋ）と連結できる。複数の出力端（ＶＯ１、ＶＯ２、．．．、ＶＯｋ−１、ＶＯｋ）は各々タッチ配線と連結できる。タッチ配線はコントローラ１５０のタッチ制御回路と複数の出力端（ＶＯ１、ＶＯ２、．．．、ＶＯｋ−１、ＶＯｋ）とを連結する配線を意味する。
【００４８】
ここで、１つのタッチ電極が１つのタッチ回路と連結しているとして図示しているが、これに限定されず、マックス（図示せず）を通じて複数のタッチ電極が１つのタッチ回路と連結してもよい。
【００４９】
複数のタッチ回路（１２１、１２２、．．．、１２ｋ−１、１２ｋ）はロードフリー駆動信号の伝達を受けて複数のタッチ電極（ＴＥ１、ＴＥ２、．．．、ＴＥｋ−１、ＴＥｋ）に各々供給できる。また、複数のタッチ回路（１２１、１２２、．．．、１２ｋ−１、１２ｋ）は受信したロードフリー駆動信号と複数のタッチ電極（ＴＥ１、ＴＥ２、．．．、ＴＥｋ−１、ＴＥｋ）に伝達したロードフリー駆動信号とを用いてタッチをセンシングできる。タッチのセンシングは、タッチした強さとタッチされた地点の座標を検出するものでありうる。しかしながら、これに限定されない。
【００５０】
図８は図７に図示したタッチ回路とタッチ電極との連結関係の第１実施形態を示す回路図であり、図９は図８に図示されたタッチ回路の動作を示すタイミング図である。
【００５１】
図８を参照すると、タッチ回路１２１ａはタッチラインＴＥＬａを通じてタッチ電極ＴＥａに連結できる。ここで、タッチ電極ＴＥａとタッチラインＴＥＬａは、各々、図７に図示した複数のタッチ電極と複数のタッチ電極ラインのうちの１つでありうる。
【００５２】
タッチ電極ＴＥａにはタッチキャパシタＣＴａと寄生キャパシタＣＰａとを連結できる。タッチキャパシタＣＴａはタッチによってタッチ電極ＴＥａに対応して生成された静電容量でありえ、寄生キャパシタＣＰａはタッチ電極ＴＥａに形成された寄生静電容量でありうる。しかしながら、これに限定されない。そして、タッチキャパシタＣＴａと寄生キャパシタＣＰａに対応する電圧はタッチラインＴＥＬａを通じてタッチ回路１２１ａに伝達できる。
【００５３】
タッチ回路１２１ａは、アンプ１２３ａ、フィードバックキャパシタＣｆａ、第１スイッチＳ１ａ、及び第２スイッチＳ２ａを含むことができる。アンプ１２３ａは正入力端（＋）を通じて共通電圧（Ｖｃｏｍ）またはロードフリー駆動信号（ＬＦＤ）を受信できる。しかしながら、これに限定されず、アンプ１２３ａは正入力端（＋）を通じてカソード電圧またはロードフリー駆動信号（ＬＦＤ）を受信できる。共通電圧（Ｖｃｏｍ）またはカソード電圧は、図６に図示したディスプレイ期間（Ｔｄ）に伝達され、ロードフリー駆動信号（ＬＦＤ）は図６に図示したタッチ期間（Ｔｓ）に伝達できる。アンプ１２３ａの負入力端（−）はタッチラインＴＥＬａと連結し、タッチラインＴＥＬａに流れる電流の供給を受けられる。
【００５４】
そして、第１スイッチＳ１ａとフィードバックキャパシタＣｆａとは、互いに直列に連結され、アンプ１２３ａの出力端（Ｖｏ）と負入力端（−）との間に配置できる。そして、第２スイッチＳ２ａはアンプ１２３ａの出力端（Ｖｏ）と負入力端（−）との間に配置でき、第１スイッチＳ１ａとフィードバックキャパシタＣｆａと並列に連結できる。
【００５５】
図９を参照すると、タッチ回路動作期間（Ｔａ）はリセット期間（Ｔｒｅｓｅｔａ）とタッチ駆動期間（ＴＬＦＤａ）を含むことができる。しかしながら、これに限定されない。リセット期間（Ｔｒｅｓｅｔａ）を図６に図示したディスプレイ期間（Ｔｄ）に含めることができ、タッチ駆動期間（ＴＬＦＤａ）を図６のタッチ期間（Ｔｓ）に対応する期間とできる。しかしながら、これに限定されない。
【００５６】
リセット期間（Ｔｒｅｓｅｔａ）でフィードバックキャパシタＣｆａをリセットできる。リセット期間（Ｔｒｅｓｅｔａ）で第１スイッチＳ１ａと第２スイッチＳ２ａはハイ状態の信号の供給を受けてターンオンできる。第１スイッチＳ１ａと第２スイッチＳ２ａがターンオンされれば、フィードバックキャパシタＣｆａの第１電極と第２電極は同一の電圧を有し、フィードバックキャパシタＣｆａをリセットできる。
【００５７】
そして、タッチ駆動期間（ＴＬＦＤａ）で第１スイッチＳ１ａはハイ状態の信号の供給を受けてオン状態を維持し、第２スイッチＳ２ａはロー状態の信号の供給を受けてターンオフできる。第１スイッチＳ１ａがターンオンされる時、アンプ１２３ａの正入力端（＋）を通じてロードフリー駆動信号（ＬＦＤ）を伝達できる。また、アンプ１２３ａは正入力端（＋）を通じて伝達されたロードフリー駆動信号（ＬＦＤ）を負入力端（−）を通じてタッチ電極ＴＥａに伝達できる。
【００５８】
アンプ１２３ａは正入力端（＋）を通じて伝達されたロードフリー駆動信号（ＬＦＤ）とタッチ電極ＴＥａに伝達されたロードフリー駆動信号（ＬＦＤ）を比較し、比較結果に対応してフィードバックキャパシタＣｆａに所定の電圧を格納することによって、タッチ電極ＴＥａで発生した静電容量の変化に対応して出力端（Ｖｏ）にタッチ信号を出力できる。即ち、アンプ１２３ａはタッチにより発生するタッチ電極ＴＥａのタッチキャパシタＣＴと寄生キャパシタＣＰに充電された電圧の変化を算出してタッチ信号を出力できる。
【００５９】
図１０は図６に図示したタッチ回路とタッチ電極の第２実施形態を示す回路図であり、図１１は図１０に図示したタッチ回路の動作を示すタイミング図である。
【００６０】
図１０を参照すると、タッチ回路１２１ｂは自身のオフセット電圧を格納し、タッチ電極からロードフリー駆動信号を受信し、オフセット電圧に対応してロードフリー駆動信号を補正して出力できる。タッチ回路１２１ｂは、オフセット電圧を格納する前にオフセット電圧をセンシングできる。タッチ回路１２１ｂは、タッチ回路１２１ｂに入力される所定の直流電圧レベルを有する入力電圧と、入力電圧に対応してタッチ回路 １２１ｂ から出力される出力電圧とを比較してセンシングできる。
【００６１】
タッチ回路１２１ｂは入力電圧に対応して出力電圧を生成し、かつ入力電圧と出力電圧を比較する積分器、積分器から出力される入力電圧と出力電圧の電圧差に対応してオフセット電圧を格納する格納部、及び入力電圧を格納部に格納されたオフセット電圧に対応して補正するスイッチ部を含むことができる。また、タッチ回路１２１ｂはタッチラインＴＥＬｂを通じてタッチ電極ＴＥｂと連結できる。ここで、タッチ電極ＴＥｂとタッチラインＴＥＬｂは、各々、図７に図示された複数のタッチ電極（ＴＥ１、ＴＥ２、．．．、ＴＥｋ−１、ＴＥｋ）と複数のタッチライン（ＴＥＬ１、ＴＥＬ２、．．．、ＴＥＬｋ−１、ＴＥＬｋ）のうちの１つでありうる。
【００６２】
積分器は正入力端（＋）に所定の電圧を伝達し、負入力端（−）にタッチ電極ＴＥｂを連結し、出力端（Ｖｏ）を、負入力端（−）に連結されるアンプ１２３ｂと、負入力端（−）と出力端（Ｖｏ）との間に配置し、互いに直列に連結される第１キャパシタＣｆｂ及び第１スイッチＳ１ｂを含むことができる。また、積分器は第１キャパシタＣｆｂをリセットできる第２スイッチＳ２ｂを含むことができる。第１スイッチＳ１ｂと第２スイッチＳ２ｂがターンオンされれば、第１キャパシタＣｆｂの両端間の電圧が同一になって、第１キャパシタＣｆｂをリセットできる。
【００６３】
アンプ１２３ｂは、正入力端（＋）を通じて共通電圧（Ｖｃｏｍ）またはロードフリー駆動信号（ＬＦＤ）の伝達を受けることができる。しかしながら、これに限定されず、アンプ１２３ｂは正入力端（＋）を通じてカソード電圧またはロードフリー駆動信号（ＬＦＤ）を受信できる。共通電圧（Ｖｃｏｍ）またはカソード電圧は、図６に図示したディスプレイ期間（Ｔｄ）に伝達され、ロードフリー駆動信号（ＬＦＤ）は図６に図示したタッチ期間（Ｔｓ）に伝達できる。
【００６４】
アンプ１２３ｂの負入力端（−）をタッチラインＴＥＬと連結し、タッチラインＴＥＬに流れる電流の供給を受けられる。アンプ１２３ｂは複数の素子を含むことができ、各素子の特性によって出力電圧に偏差を発生できる。出力電圧の偏差をオフセット電圧と称することができる。したがって、図７に図示した複数のタッチ回路は、複数のタッチ電極ライン（ＴＥＬ１、ＴＥＬ２、．．．、ＴＥＬｋ−１、ＴＥＬｋ）を通じて同一なロードフリー駆動信号を伝達してもアンプ１２３ｂのオフセット電圧により出力される信号に偏差を発生できる。これによって、タッチセンシングの偏差が発生してタッチセンシングを正確に検出できなくなる問題がある。
【００６５】
上記の問題を解決するために、タッチ回路１２１ｂはオフセット電圧を格納する格納部と、格納部と積分器の間に連結して格納されたオフセット電圧を用いてオフセット電圧を補正するスイッチ部を含むことができる。格納部は、第２キャパシタＣｏｆｆｓｅｔを含むことができる。また、スイッチ部は第３スイッチ乃至第６スイッチ（Ｓ３ｂ乃至Ｓ６ｂ）を含むことができる。しかしながら、これに限定されない。
【００６６】
そして、アンプ１２３ｂと第２キャパシタＣｏｆｆｓｅｔを連結し、第３スイッチ乃至第６スイッチ（Ｓ３ｂ乃至Ｓ６ｂ）の動作に対応して第２キャパシタＣｏｆｆｓｅｔでオフセット電圧を格納した後、格納したオフセット電圧を用いてタッチ電極から伝達されるロードフリー駆動信号の偏差を除去することによって、アンプ１２３ｂのオフセット電圧を補正できる。オフセット電圧を補正するようになれば、タッチセンシングの偏差が解決できるので、より正確なタッチセンシングを達成できる。タッチセンシングを正確に検出することによって、タッチ入力の強さと入力位置をより正確に算出できるので、タッチ表示装置１００において駆動する、例えば、絵を描くなどの多様なアプリケーションに適用できる。
【００６７】
スイッチ部はアンプ１２３ｂの正入力端（＋）と第２キャパシタＣｏｆｆｓｅｔの第１電極との間に配置される第３スイッチＳ３ｂと、アンプ１２３ｂの出力端（Ｖｏ）と第２キャパシタＣｏｆｆｓｅｔの第２電極との間に配置される第４スイッチＳ４ｂと、アンプ１２３ｂの負入力端（−）と第２キャパシタＣｏｆｆｓｅｔとの間に配置される第５スイッチＳ５ｂと、第２キャパシタＣｏｆｆｓｅｔと接地との間に配置される第６スイッチＳ６ｂを含むことができる。
【００６８】
第１キャパシタＣｆｂと第２キャパシタＣｏｆｆｓｅｔは各々アンプ１２３ｂの出力端（Ｖｏ）と負入力端（−）との間に並列に配置できる。また、第３スイッチＳ３ｂはアンプ１２３ｂの正入力端（＋）と負入力端（−）との間に配置されて、アンプ１２３ｂの正入力端（＋）と負入力端（−）を連結できる。
【００６９】
また、タッチ回路１２１ｂと連結されたタッチラインＴＥＬｂに充電除去回路１２５を配置できる。充電除去回路１２５は充電除去キャパシタＣｃｒと充電除去スイッチＳｃｒを含むことができる。タッチラインＴＥＬｂに充電された電圧が高過ぎる場合、タッチ回路１２１ｂ及び／又はタッチ電極ＴＥｂの損傷が発生することがあり、充電除去回路１２５はこれを防止するために、連結された充電除去キャパシタＣｃｒでタッチラインＴＥＬｂを放電させてタッチラインＴＥＬｂに充電された電圧を低下できる。充電除去回路１２５は、図８に図示されたタッチ回路１２１ａにも適用できる。
【００７０】
図１１を参照すると、タッチ回路駆動期間（Ｔｂ）はリセット期間（Ｔｒｅｓｅｔｂ）、サンプリング期間（Ｔｓａｍｂ）、タッチ駆動期間（ＴＬＦＤｂ）を含むことができる。しかしながら、これに限定されない。リセット期間（Ｔｒｅｓｅｔｂ）、サンプリング期間（Ｔｓａｍｂ）は図６のディスプレイ期間（Ｔｄ）に含まれ、タッチ駆動期間（ＴＬＦＤｂ）は図６のタッチ期間（Ｔｓ）に含まれ得る。しかしながら、これに限定されない。
【００７１】
リセット期間（Ｔｒｅｓｅｔｂ）に第１キャパシタＣｆｂをリセットできる。そして、サンプリング期間（Ｔｓａｍｂ）で第２キャパシタＣｏｆｆｓｅｔはアンプ１２３ｂのオフセット電圧をセンシングし、格納できる。そして、タッチ駆動期間（ＴＬＦＤｂ）にはロードフリー駆動信号（ＬＦＤ）にオフセット電圧を対応するようにして、アンプ１２３ｂのオフセット電圧による偏差をロードフリー駆動信号（ＬＦＤ）から除去して出力することができる。また、リセット期間（Ｔｒｅｓｅｔｂ）とサンプリング期間（Ｔｓａｍｂ）で、アンプ１２３ｂの正入力端（＋）には所定の電圧レベルを有する直流電圧を伝達できる。所定の直流電圧は、図６に図示したディスプレイ期間（Ｔｄ）に印加される共通電圧（Ｖｃｏｍ）またはカソード電圧でありうる。しかしながら、これに限定されない。
【００７２】
リセット期間（Ｔｒｅｓｅｔｂ）で、第１スイッチＳ１ｂと第２スイッチＳ２ｂはハイ状態の信号の供給を受けてターンオンできる。そして、第３スイッチ乃至第６スイッチ（Ｓ３ｂ乃至Ｓ６ｂ）はロー状態の信号の供給を受けてターンオフできる。第１スイッチＳ１ｂと第２スイッチＳ２ｂがハイ状態になれば、第１キャパシタＣｆｂの第１電極と第２電極は同一な電圧を有するようになり、第１キャパシタＣｆｂをリセットできる。
【００７３】
サンプリング期間（Ｔｓａｍｂ）で、第１スイッチＳ１ｂはロー状態の信号の供給を受けて、第２スイッチ乃至第４スイッチ（Ｓ２ｂ乃至Ｓ４ｂ）はハイ状態の信号の供給を受けることができる。また、第５スイッチＳ５ｂ及び第６スイッチＳ６ｂはロー状態の信号の供給を受けることができる。これによって、第１スイッチＳ１ｂ、第５スイッチＳ５ｂ、及び第６スイッチＳ６ｂをターンオフし、第２スイッチ乃至第４スイッチ（Ｓ２ｂ乃至Ｓ４ｂ）をターンオンできる。第１スイッチＳ１ｂがターンオフされれば、第１キャパシタＣｆｂの第１電極をフローティング状態にできる。第２スイッチＳ２ｂがターンオンされれば、アンプ１２３ｂの出力端（Ｖｏ）と負入力端（−）とを互いに連結できる。
【００７４】
第３スイッチＳ３ｂがターンオンされれば、アンプ１２３ｂの正入力端（＋）は第２キャパシタＣｏｆｆｓｅｔの第１電極と連結できる。また、第４スイッチＳ４ｂがターンオンされれば、アンプ１２３ｂの出力端（Ｖｏ）は第２キャパシタＣｏｆｆｓｅｔの第２電極と連結できる。アンプ１２３ｂの出力端（Ｖｏ）と負入力端（−）が互いに連結されており、アンプ１２３ｂの正入力端（＋）に所定の電圧が印加されれば、アンプ１２３ｂの出力端（Ｖｏ）の電圧レベルとアンプ１２３ｂの正入力端（＋）の電圧レベルは同一でなければならない。しかしながら、アンプ１２３ｂのオフセット電圧によりアンプ１２３ｂの出力端（Ｖｏ）とアンプ１２３ｂの正入力端（＋）の電圧レベルに差を発生することができる。例えば、アンプ１２３ｂの出力端（Ｖｏ）の電圧レベルをアンプ１２３ｂの正入力端（＋）の電圧レベルにオフセット電圧の電圧レベルを合算した値にできる。そして、アンプ１２３ｂの出力端（Ｖｏ）とアンプ１２３ｂの正入力端（＋）の間に第２キャパシタＣｏｆｆｓｅｔを配置しているので、オフセット電圧を第２キャパシタＣｏｆｆｓｅｔに格納できる。
【００７５】
そして、タッチ駆動期間（ＴＬＦＤｂ）で、第１スイッチＳ１ｂはハイ状態の信号の供給を受けてオン状態を維持し、第２スイッチ乃至第４スイッチ（Ｓ２ｂ乃至Ｓ４ｂ）はロー状態の信号の供給を受けてターンオフできる。また、第５スイッチＳ５ｂ及び第６スイッチＳ６ｂはハイ状態の信号の供給を受けてターンオンできる。第１スイッチＳ１ｂがターンオンされる時、アンプ１２３ｂの正入力端（＋）を通じてロードフリー駆動信号（ＬＦＤ）を伝達できる。アンプ１２３ｂは正入力端（＋）を通じて伝達を受けたロードフリー駆動信号（ＬＦＤ）を負入力端（−）を通じてタッチ電極ＴＥｂに伝達できる。また、アンプ１２３ｂは正入力端（＋）を通じて入力されるロードフリー駆動信号（ＬＦＤ）とタッチ電極ＴＥｂに伝達されるロードフリー駆動信号（ＬＦＤ）を比較し、第１キャパシタＣｆｂに所定の電圧を格納することによってタッチ電極ＴＥｂで発生した電圧差に対応する信号を出力できる。即ち、タッチにより発生するタッチ電極ＴＥのタッチキャパシタＣＴと寄生キャパシタＣＰに充電された電圧の変化を算出できる。
【００７６】
図１２は、本発明の実施形態によるタッチ表示装置の駆動方法の一実施形態を示す順序図である。
【００７７】
図１２を参照すると、タッチ表示装置の駆動方法は、まず、タッチ回路のオフセット電圧（offset）をセンシングできる（Ｓ１２００）。タッチ表示装置は複数のタッチ電極と連結された複数のタッチラインに各々タッチ回路を連結できる。タッチ回路は素子特性に従うオフセット電圧が異なり、同一なタッチセンシング信号が、このオフセット電圧に対応して差を発生することがある。このような差によってタッチセンシング信号が不正確になることを防止するために、タッチ回路のオフセット電圧をセンシングできる。タッチ回路がアンプを含む場合、アンプの正入力端に所定の直流電圧を印加した状態でアンプの出力端と負入力端とを互いに連結すれば、アンプの正入力端の電圧レベルとアンプの出力端の電圧レベルはオフセット電圧に対応して差を発生できる。そして、このような差をセンシングすることによってオフセット電圧をセンシングできる。オフセット電圧は所定の直流電圧レベルを有する入力電圧と、入力電圧に対応してタッチ回路から出力される出力電圧を比較してセンシングできる。
【００７８】
そして、タッチ回路のオフセット電圧を格納できる（Ｓ１２１０）。オフセット電圧はタッチ回路で格納できる。タッチ回路はアンプを含み、アンプの出力端と正入力端との間の電圧を格納することによって、オフセット電圧を格納できる。オフセット電圧はキャパシタに格納できる。キャパシタは、アンプの出力端と正入力端との間に配置できる。
【００７９】
そして、タッチをセンシングできる（Ｓ１２２０）。タッチ回路がタッチをセンシングできる状態に設定された後、タッチ電極にロードフリー駆動信号（Load free driving signal）を印加してタッチをセンシングできる。タッチ回路は、ロードフリー駆動信号による電圧がタッチによって変動したかを判断し、タッチをセンシングできる。この際、タッチラインにタッチ電極に対応して流れる電流が格納されたオフセット電圧を反映することにより、タッチセンシング信号はオフセット電圧による偏差を除去できる。
【００８０】
以上の説明及び添付の図面は本発明の技術思想を例示的に示すことに過ぎないものであって、本発明が属する技術分野で通常の知識を有する者であれば本発明の本質的な特性から逸脱しない範囲で構成の結合、分離、置換、及び変更などの多様な修正及び変形が可能である。したがって、本発明に開示された実施形態は本発明の技術思想を限定するためのものでなく、説明するためのものであり、このような実施形態によって本発明の技術思想の範囲が限定されるものではない。本発明の保護範囲は請求範囲によって解釈されなければならず、それと同等な範囲内にある全ての技術思想は本発明の権利範囲に含まれるものと解釈されるべきである。
【符号の説明】
【００８１】
１００    表示装置
１０１    サブピクセル
１１０    表示パネル
１２０    タッチセンサー
１３０    データドライバ
１４０    ゲートドライバ
１５０    タイミングコントローラ
【図１】
2020107333.tif 000003
【図２】
2020107333.tif 000004
【図３】
2020107333.tif 000005
【図４】
2020107333.tif 000006
【図５】
2020107333.tif 000007
【図６】
2020107333.tif 000008
【図７】
2020107333.tif 000009
【図８】
2020107333.tif 000010
【図９】
2020107333.tif 000011
【図１０】
2020107333.tif 000012
【図１１】
2020107333.tif 000013
【図１２】
2020107333.tif 000014